(57)【要約】【課題】  新生児誕生後の定期的な催しは自動的に配布され、ユーザ側の立場に立った医療機関の選択や診察日時を指定することを可能とする。【解決手段】  ユーザ端末１０は出生届を自治体端末２０に送信する。自治体端末２０は新生児の定期検診通知をユーザ端末１０に送信する。ユーザ端末１０は定期検診希望日を自治体端末２０に送信する。自治体端末２０は希望日に基づいて検診受信に便利な医療機関４を抽出し、抽出した医療機関４の医療機関端末４０に定期検診予約情報を送信する。また、新生児が誕生した産婦人科医３の産婦人科医端末３０に新生児のカルテを医療機関端末４０へ送付するよう指示する。ユーザ端末１０が新生児の生年月日をカウンセラー端末５０に送信すると、カウンセラー端末５０は誕生後の経過日数を算出し、経過日数に基づいて新生児に該当する標準生育表をユーザ端末１０に送信する。【選択図】      図１
2005050146.tif 000002
【特許請求の範囲】
【請求項１】
自治体端末とユーザ端末と医療機関端末とがコンピュータネットワークで接続された小児の医療管理システムであって、
前記自治体端末は、小児データベースと定期検診予定表を格納する定期検診データベースと医療機関の住所と定期検診可能日とを格納する医療機関データベースとを記憶する記憶装置と、新生児のコードと生年月日と住所とを前記小児データベースに格納する手段と、前記新生児のコードと生年月日とに基づいて前記定期検診データベースを検索して前記新生児への定期検診通知を抽出する手段と、抽出した定期検診通知を前記ユーザ端末に送信する手段と、前記ユーザ端末から送信された希望日に基づいて前記医療機関データベースと前記小児データベースとを検索して検診受信に便利な医療機関を抽出する手段と、抽出した前記医療機関の医療機関端末に定期検診予約情報を送信する手段とを備え、
前記ユーザ端末は、前記定期検診通知を受信して表示する手段と、希望日を入力して前記自治体端末に送信する手段とを備えたことを特徴とする小児の医療管理システム。
【請求項２】
さらに、前記コンピュータネットワークに接続された産婦人科医端末を有し、
前記産婦人科端末は新生児データベースを記憶する記憶装置と、前記新生児のカルテを前記新生児データベースに格納する手段とを備え、
前記自治体端末は、前記新生児が誕生した産婦人科医の産婦人科医端末情報を前記小児データベースに格納する手段と、前記新生児のコードに基づいて前記小児データベースを検索して前記新生児が誕生した産婦人科医の産婦人科医端末を抽出し、前記新生児のカルテの前記医療機関端末への送付指示を抽出した前記産婦人科医端末に送信する手段とを備えたことを特徴とする請求項１記載の小児の医療管理システム。
【請求項３】
前記ユーザ端末は、さらに、前記新生児の生年月日と住所とを含む出生届を前記自治体端末に送信する手段を備えたことを特徴とする請求項１または２記載の小児の医療管理システム。
【請求項４】
さらに、前記コンピュータネットワークに接続されたカウンセラー端末を有し、
前記ユーザ端末は、前記新生児の生年月日を前記カウンセラー端末に送信する手段を備え、
前記カウンセラー端末は標準生育データベースを記憶する記憶装置と、前記ユーザ端末から送信された生年月日とこの生年月日が送信された日時とから経過日数を算出する手段と、算出された経過日数に基づいて前記標準生育データベースを検索して前記新生児に該当する標準生育表を抽出する手段と、抽出した前記標準生育表を前記ユーザ端末に送信する手段とを備えたことを特徴とする請求項１、２または３記載の小児の医療管理システム。
【請求項５】
ユーザ端末と、医療機関端末と、小児データベースと定期検診予定表を格納する定期検診データベースと医療機関の住所と定期検診可能日とを格納する医療機関データベースとを記憶する記憶装置を有する自治体端末とをコンピュータネットワークで接続して行う小児の医療管理方法であって、
前記自治体端末が、新生児のコードと生年月日と住所とを前記小児データベースに格納するステップと、
前記自治体端末が、前記新生児のコードと生年月日とに基づいて前記定期検診データベースを検索して前記新生児への定期検診通知を抽出し、抽出した定期検診通知を前記ユーザ端末に送信するステップと、
前記ユーザ端末が、前記定期検診通知を受信して表示し、希望日を入力して前記自治体端末に送信するステップと、
前記自治体端末が、前記ユーザ端末から送信された希望日に基づいて前記医療機関データベースと前記小児データベースとを検索して検診受信に便利な医療機関を抽出し、抽出した前記医療機関の医療機関端末に定期検診予約情報を送信するステップとを備えたことを特徴とする小児の医療管理方法。
【請求項６】
さらに、前記コンピュータネットワークに接続され、新生児データベースを記憶する記憶装置を有する産婦人科医端末を使用し、
前記産婦人科端末が、前記新生児のカルテを前記新生児データベースに格納するステップと、
前記自治体端末が、前記新生児が誕生した産婦人科医の産婦人科医端末情報を前記小児データベースに格納するステップと、
前記新生児のコードに基づいて前記小児データベースを検索して前記新生児が誕生した産婦人科医の産婦人科医端末を抽出し、前記新生児のカルテの前記医療機関端末への送付指示を抽出した前記産婦人科医端末に送信するステップとを備えたことを特徴とする請求項５記載の小児の医療管理方法。
【請求項７】
さらに、前記ユーザ端末が、前記新生児の生年月日と住所とを含む出生届を前記自治体端末に送信するステップを備えたことを特徴とする請求項５または６記載の小児の医療管理方法。
【請求項８】
さらに、前記コンピュータネットワークに接続され、標準生育データベースを記憶する記憶装置を有するカウンセラー端末を使用し、
前記ユーザ端末が、前記新生児の生年月日を前記カウンセラー端末に送信するステップと、
前記カウンセラー端末が、前記ユーザ端末から送信された生年月日とこの生年月日が送信された日時とから経過日数を算出するステップと、
前記カウンセラー端末が、算出された経過日数に基づいて前記標準生育データベースを検索して前記新生児に該当する標準生育表を抽出し、抽出した前記標準生育表を前記ユーザ端末に送信するステップとを備えたことを特徴とする請求項５、６または７記載の小児の医療管理方法。
【請求項９】
ユーザ端末と医療機関端末とにコンピュータネットワークで接続された自治体端末であって、
小児データベースと定期検診予定表を格納する定期検診データベースと医療機関の住所と定期検診可能日とを格納する医療機関データベースとを記憶する記憶装置と、新生児のコードと生年月日と住所とを前記小児データベースに格納する手段と、前記新生児のコードと生年月日とに基づいて前記定期検診データベースを検索して前記新生児への定期検診通知を抽出する手段と、抽出した定期検診通知を前記ユーザ端末に送信する手段と、前記ユーザ端末から送信された希望日に基づいて前記医療機関データベースと前記小児データベースとを検索して検診受信に便利な医療機関を抽出する手段と、抽出した前記医療機関の医療機関端末に定期検診予約情報を送信する手段とを備えたことを特徴とする自治体端末。
【請求項１０】
さらに、前記新生児が誕生した産婦人科医の産婦人科医端末情報を前記小児データベースに格納する手段と、前記新生児のコードに基づいて前記小児データベースを検索して前記新生児が誕生した産婦人科医の産婦人科医端末を抽出し、前記新生児のカルテの前記医療機関端末への送付指示を抽出した前記産婦人科医端末に送信する手段とを備えたことを特徴とする請求項９記載の自治体端末。
【請求項１１】
記憶装置に記憶された小児データベースに新生児のコードと生年月日と住所とを格納する処理と、
記憶装置に記憶されて定期検診予定表を格納する定期検診データベースを前記新生児のコードと生年月日とに基づいて検索して前記新生児への定期検診通知を抽出する処理と、
抽出した定期検診通知をユーザ端末に送信する処理と、
記憶装置に記憶されて医療機関の住所と定期検診可能日とを格納する医療機関データベースと前記小児データベースとを前記ユーザ端末から送信された希望日に基づいて検索して検診受信に便利な医療機関を抽出する処理と、
抽出した医療機関の医療機関端末に定期検診予約情報を送信する処理とを、
コンピュータに実行させるためのプログラム。
【請求項１２】
さらに、前記新生児が誕生した産婦人科医の産婦人科医端末情報を前記小児データベースに格納する処理と、
前記新生児のコードに基づいて前記小児データベースを検索して前記新生児が誕生した産婦人科医の産婦人科医端末を抽出し、前記新生児のカルテの前記医療機関端末への送付指示を抽出した産婦人科医端末に送信する処理とを、
コンピュータに実行させるための請求項１１記載のプログラム。
【請求項１３】
記憶装置に記憶された小児データベースに新生児のコードと生年月日と住所とを格納する処理と、
記憶装置に記憶されて定期検診予定表を格納する定期検診データベースを前記新生児のコードと生年月日とに基づいて検索して前記新生児への定期検診通知を抽出する処理と、
抽出した定期検診通知を送信する処理と、
前記定期検診通知を受信して表示し、希望日を入力して送信する処理と、
記憶装置に記憶されて医療機関の住所と定期検診可能日とを格納する医療機関データベースと前記小児データベースとを送信された希望日に基づいて検索して検診受信に便利な医療機関を抽出する処理と、
抽出した医療機関の医療機関端末に定期検診予約情報を送信する処理とを、
コンピュータに実行させるためのプログラム。
【請求項１４】
さらに、記憶装置に記憶された新生児データベースに前記新生児のカルテを格納する処理と、
前記新生児が誕生した産婦人科医の産婦人科医端末情報を前記小児データベースに格納する処理と、
前記新生児のコードに基づいて前記小児データベースを検索して前記新生児が誕生した産婦人科医の産婦人科医端末を抽出し、前記新生児のカルテの前記医療機関端末への送付指示を抽出した前記産婦人科医端末に送信する処理とを、
コンピュータに実行させるための請求項１３記載のプログラム。
【請求項１５】
さらに、前記新生児の生年月日と住所とを含む出生届を送信する処理を、
コンピュータに実行させるための請求項１３または１４記載のプログラム。
【請求項１６】
さらに、前記新生児の生年月日を送信する処理と、
送信された生年月日とこの生年月日が送信された日時とから経過日数を算出する処理と、
記憶装置に記憶された標準生育データベースを算出された経過日数に基づいて検索して前記新生児に該当する標準生育表を抽出し、抽出した標準生育表を送信する処理とを、
コンピュータに実行させるための請求項１３、１４または１５記載のプログラム。
【発明の詳細な説明】
【技術分野】
【０００１】
本発明は小児の医療管理システム、小児の医療管理方法およびプログラムに関し、特に、新生児誕生時からの定期検診や予防接種等の管理を行う小児の医療管理システム、小児の医療管理方法およびプログラムに関する。
【背景技術】
【０００２】
従来、新生児誕生後の予防接種や定期検診については、定期的に連絡してくる場合や連絡が無いケースがあって、自治体によりバラバラな状態である。更に、連絡がある場合でもユーザ側の立場を無視して一方的に医療機関と日時を決められることが多い。
【０００３】
また、新生児に関して、医療機関に行くほどの内容でもないちょっとした相談を気軽に引き受けて貰える機関が少ない状況である。
【０００４】
特許文献１には、住民情報を管理する自治体の住民情報システムのデータとリンクさせることにより、福祉サービスや介護サービスの停止や変更についての対応漏れをなくすようにしたサービス受給者管理システムが記載されている。
【０００５】
特許文献２には、医療機関が他の医療機関に患者を紹介する場合に、他の医療機関の患者情報を参照できるようにしたシステムが記載されている。
【０００６】
特許文献３には、赤ちゃんの栄養状況に不安を持つ親への育児支援のために、インターネット上で２４時間いつでも即座に、赤ちゃんの発育の状況と離乳食の進め方の栄養相談を提供する方法が記載されている。
【０００７】
【特許文献１】特開２００２−１３３０３０号公報（第４−５頁、図１）
【０００８】
【特許文献２】特開平１１−１４３９５６号公報（第２−４頁、図１）
【特許文献３】特開２００２−８３０５３号公報（第２−５頁、図１）
【発明の開示】
【発明が解決しようとする課題】
【０００９】
上述したように、従来の小児の医療管理システムは、連絡が無いケースがあったり、連絡がある場合でもユーザ側の立場を無視して一方的に医療機関と日時を決められる為に不都合が発生するという問題点があった。
【００１０】
本発明の目的は、新生児誕生後の定期的な催しは自動的に配布され、ユーザ側の立場に立った医療機関の選択や診察日時を指定することを可能とする小児の医療管理システム、小児の医療管理方法およびプログラムを提供することにある。
【課題を解決するための手段】
【００１１】
本発明の小児の医療管理システムは、自治体端末とユーザ端末と医療機関端末とがコンピュータネットワークで接続された小児の医療管理システムであって、
前記自治体端末は、小児データベースと定期検診予定表を格納する定期検診データベースと医療機関の住所と定期検診可能日とを格納する医療機関データベースとを記憶する記憶装置と、新生児のコードと生年月日と住所とを前記小児データベースに格納する手段と、前記新生児のコードと生年月日とに基づいて前記定期検診データベースを検索して前記新生児への定期検診通知を抽出する手段と、抽出した定期検診通知を前記ユーザ端末に送信する手段と、前記ユーザ端末から送信された希望日に基づいて前記医療機関データベースと前記小児データベースとを検索して検診受信に便利な医療機関を抽出する手段と、抽出した前記医療機関の医療機関端末に定期検診予約情報を送信する手段とを備え、
前記ユーザ端末は、前記定期検診通知を受信して表示する手段と、希望日を入力して前記自治体端末に送信する手段とを備えたことを特徴とする。
【００１２】
本発明の小児の医療管理システムは、さらに、前記コンピュータネットワークに接続された産婦人科医端末を有し、
前記産婦人科端末は新生児データベースを記憶する記憶装置と、前記新生児のカルテを前記新生児データベースに格納する手段とを備え、
前記自治体端末は、前記新生児が誕生した産婦人科医の産婦人科医端末情報を前記小児データベースに格納する手段と、前記新生児のコードに基づいて前記小児データベースを検索して前記新生児が誕生した産婦人科医の産婦人科医端末を抽出し、前記新生児のカルテの前記医療機関端末への送付指示を抽出した前記産婦人科医端末に送信する手段とを備えたことを特徴としてもよい。
【００１３】
本発明の小児の医療管理システムは、前記ユーザ端末は、さらに、前記新生児の生年月日と住所とを含む出生届を前記自治体端末に送信する手段を備えたことを特徴としてもよい。
【００１４】
本発明の小児の医療管理システムは、さらに、前記コンピュータネットワークに接続されたカウンセラー端末を有し、
前記ユーザ端末は、前記新生児の生年月日を前記カウンセラー端末に送信する手段を備え、
前記カウンセラー端末は標準生育データベースを記憶する記憶装置と、前記ユーザ端末から送信された生年月日とこの生年月日が送信された日時とから経過日数を算出する手段と、算出された経過日数に基づいて前記標準生育データベースを検索して前記新生児に該当する標準生育表を抽出する手段と、抽出した前記標準生育表を前記ユーザ端末に送信する手段とを備えたことを特徴としてもよい。
【００１５】
本発明の小児の医療管理方法は、ユーザ端末と、医療機関端末と、小児データベースと定期検診予定表を格納する定期検診データベースと医療機関の住所と定期検診可能日とを格納する医療機関データベースとを記憶する記憶装置を有する自治体端末とをコンピュータネットワークで接続して行う小児の医療管理方法であって、
前記自治体端末が、新生児のコードと生年月日と住所とを前記小児データベースに格納するステップと、
前記自治体端末が、前記新生児のコードと生年月日とに基づいて前記定期検診データベースを検索して前記新生児への定期検診通知を抽出し、抽出した定期検診通知を前記ユーザ端末に送信するステップと、
前記ユーザ端末が、前記定期検診通知を受信して表示し、希望日を入力して前記自治体端末に送信するステップと、
前記自治体端末が、前記ユーザ端末から送信された希望日に基づいて前記医療機関データベースと前記小児データベースとを検索して検診受信に便利な医療機関を抽出し、抽出した前記医療機関の医療機関端末に定期検診予約情報を送信するステップとを備えたことを特徴とする。
【００１６】
本発明の小児の医療管理方法は、さらに、前記コンピュータネットワークに接続され、新生児データベースを記憶する記憶装置を有する産婦人科医端末を使用し、
前記産婦人科端末が、前記新生児のカルテを前記新生児データベースに格納するステップと、
前記自治体端末が、前記新生児が誕生した産婦人科医の産婦人科医端末情報を前記小児データベースに格納するステップと、
前記新生児のコードに基づいて前記小児データベースを検索して前記新生児が誕生した産婦人科医の産婦人科医端末を抽出し、前記新生児のカルテの前記医療機関端末への送付指示を抽出した前記産婦人科医端末に送信するステップとを備えたことを特徴としてもよい。
【００１７】
本発明の小児の医療管理方法は、さらに、前記ユーザ端末が、前記新生児の生年月日と住所とを含む出生届を前記自治体端末に送信するステップを備えたことを特徴としてもよい。
【００１８】
本発明の小児の医療管理方法は、さらに、前記コンピュータネットワークに接続され、標準生育データベースを記憶する記憶装置を有するカウンセラー端末を使用し、
前記ユーザ端末が、前記新生児の生年月日を前記カウンセラー端末に送信するステップと、
前記カウンセラー端末が、前記ユーザ端末から送信された生年月日とこの生年月日が送信された日時とから経過日数を算出するステップと、
前記カウンセラー端末が、算出された経過日数に基づいて前記標準生育データベースを検索して前記新生児に該当する標準生育表を抽出し、抽出した前記標準生育表を前記ユーザ端末に送信するステップとを備えたことを特徴としてもよい。
【００１９】
本発明の自治体端末は、ユーザ端末と医療機関端末とにコンピュータネットワークで接続された自治体端末であって、
小児データベースと定期検診予定表を格納する定期検診データベースと医療機関の住所と定期検診可能日とを格納する医療機関データベースとを記憶する記憶装置と、新生児のコードと生年月日と住所とを前記小児データベースに格納する手段と、前記新生児のコードと生年月日とに基づいて前記定期検診データベースを検索して前記新生児への定期検診通知を抽出する手段と、抽出した定期検診通知を前記ユーザ端末に送信する手段と、前記ユーザ端末から送信された希望日に基づいて前記医療機関データベースと前記小児データベースとを検索して検診受信に便利な医療機関を抽出する手段と、抽出した前記医療機関の医療機関端末に定期検診予約情報を送信する手段とを備えたことを特徴とする。
【００２０】
本発明の自治体端末は、さらに、前記新生児が誕生した産婦人科医の産婦人科医端末情報を前記小児データベースに格納する手段と、前記新生児のコードに基づいて前記小児データベースを検索して前記新生児が誕生した産婦人科医の産婦人科医端末を抽出し、前記新生児のカルテの前記医療機関端末への送付指示を抽出した前記産婦人科医端末に送信する手段とを備えたことを特徴としてもよい。
【００２１】
本発明のプログラムは、記憶装置に記憶された小児データベースに新生児のコードと生年月日と住所とを格納する処理と、
記憶装置に記憶されて定期検診予定表を格納する定期検診データベースを前記新生児のコードと生年月日とに基づいて検索して前記新生児への定期検診通知を抽出する処理と、
抽出した定期検診通知をユーザ端末に送信する処理と、
記憶装置に記憶されて医療機関の住所と定期検診可能日とを格納する医療機関データベースと前記小児データベースとを前記ユーザ端末から送信された希望日に基づいて検索して検診受信に便利な医療機関を抽出する処理と、
抽出した医療機関の医療機関端末に定期検診予約情報を送信する処理とを、
コンピュータに実行させる。
【００２２】
本発明のプログラムは、さらに、前記新生児が誕生した産婦人科医の産婦人科医端末情報を前記小児データベースに格納する処理と、
前記新生児のコードに基づいて前記小児データベースを検索して前記新生児が誕生した産婦人科医の産婦人科医端末を抽出し、前記新生児のカルテの前記医療機関端末への送付指示を抽出した産婦人科医端末に送信する処理とを、
コンピュータに実行させるようにしてもよい。
【００２３】
本発明のプログラムは、記憶装置に記憶された小児データベースに新生児のコードと生年月日と住所とを格納する処理と、
記憶装置に記憶されて定期検診予定表を格納する定期検診データベースを前記新生児のコードと生年月日とに基づいて検索して前記新生児への定期検診通知を抽出する処理と、
抽出した定期検診通知を送信する処理と、
前記定期検診通知を受信して表示し、希望日を入力して送信する処理と、
記憶装置に記憶されて医療機関の住所と定期検診可能日とを格納する医療機関データベースと前記小児データベースとを送信された希望日に基づいて検索して検診受信に便利な医療機関を抽出する処理と、
抽出した医療機関の医療機関端末に定期検診予約情報を送信する処理とを、
コンピュータに実行させるようにしてもよい。
【００２４】
本発明のプログラムは、さらに、記憶装置に記憶された新生児データベースに前記新生児のカルテを格納する処理と、
前記新生児が誕生した産婦人科医の産婦人科医端末情報を前記小児データベースに格納する処理と、
前記新生児のコードに基づいて前記小児データベースを検索して前記新生児が誕生した産婦人科医の産婦人科医端末を抽出し、前記新生児のカルテの前記医療機関端末への送付指示を抽出した前記産婦人科医端末に送信する処理とを、
コンピュータに実行させるようにしてもよい。
【００２５】
本発明のプログラムは、さらに、前記新生児の生年月日と住所とを含む出生届を送信する処理を、
コンピュータに実行させるようにしてもよい。
【００２６】
本発明のプログラムは、さらに、前記新生児の生年月日を送信する処理と、
送信された生年月日とこの生年月日が送信された日時とから経過日数を算出する処理と、
記憶装置に記憶された標準生育データベースを算出された経過日数に基づいて検索して前記新生児に該当する標準生育表を抽出し、抽出した標準生育表を送信する処理とを、
コンピュータに実行させるようにしてもよい。
【発明の効果】
【００２７】
本発明は、新生児誕生後の定期的な催しは自動的に配布されるので見落としがなく、ユーザ側の立場に立った医療機関の選択や診察日時を指定できるという効果がある。
【００２８】
また、検診時に、誕生時のカルテを基に診察されるので何か問題があっても医学的検知から対応が可能となるという効果がある。
【００２９】
また、誕生日からの経過日数に対応した標準生育データを２４時間いつでも気軽に入手できるという効果がある。
【発明を実施するための最良の形態】
【００３０】
本発明を実施するための最良の形態について図面を参照して詳細に説明する。図１は、本発明の実施形態の構成を示すブロック図である。本発明の実施形態は、ユーザ端末１０と自治体端末２０と産婦人科医端末３０と医療機関端末４０とカウンセラー端末５０、および、これらの端末を相互に接続するコンピュータネットワークを含む。コンピュータネットワークはインターネット１００であるとして説明する。
【００３１】
ユーザ端末１０は新生児の両親またはこれに代わる人であるユーザ１が保有するパーソナルコンピュータや携帯端末のような情報処理装置であり、出生届の提出や定期的な検診時期等の受信や予約及びカウンセラー端末５０との情報転送に使用する目的の端末である。ユーザ端末１０は、その内部または外部に、データを入力するためのキーボードやマウス等の入力部１１と、データを表示するためのＬＣＤ（liquid crystal display）等の表示部１２と、データを一時記憶するための記憶装置１３とを有する。さらに、データを印刷出力するためのプリンタを備えてもよい。
【００３２】
自治体端末２０は市町村等の自治体２に設置されたパーソナルコンピュータまたはワークステーション等の情報処理装置である。自治体端末２０は、その内部または外部に、データを一時記憶するための記憶装置２３を有する。自治体端末２０は、図示しないが、さらに、データを入力するための入力部とデータを表示するための表示部とデータを印刷出力するためのプリンタを必要に応じて備える。記憶装置２３は、小児データベース２３１と定期検診データベース２３２と医療機関データベース２３３を格納する。
【００３３】
自治体端末２０は次の１）〜４）の機能を有する。
１）ユーザ端末１０からの出生届を受理する機能。
２）新生児の生年月日を基に定期検診や予防接種時期等の自動配信機能。
３）新生児が誕生した産婦人科医３から新生児誕生から退院までの新生児のカルテを医療機関４へ送付指示する機能。
４）新生児が定期検診や予防接種を受ける際は該当する新生児の現在の住所をキーワードとして医療機関データベース２３３を検索し、もっとも短時間に通院出来る医療機関４を自動選択する機能。
【００３４】
小児データベース２３１は、新生児の情報を有するデータファイルである。定期検診データベース２３２は、新生児誕生後の定期検診や予防接種時期等が格納されたデータファイルである。医療機関データベース２３３は自治体２に予め登録された医療機関４およびその医療機関端末４０を格納するデータファイルであり、新生児が受診する際に検索する目的で使用される。
【００３５】
産婦人科医端末３０は、産婦人科医３に設置されたパーソナルコンピュータやワークステーション等の情報処理装置である。産婦人科医端末３０は、その内部または外部に、データを入力するための入力部３１と、データを表示するための表示部３２と、データを一時記憶するための記憶装置３３とを有する。さらに、データを印刷出力するためのプリンタを備えてもよい。記憶装置３３は新生児データベース３３１を格納する。新生児データベース３３１は、新生児が誕生してから退院時までのカルテが格納されたデータファイルである。産婦人科医端末３０は、自治体端末２０の指示により新生児データベース３３１を検索して指定された新生児のカルテを医療機関端末４０へ送付する機能を有する。
【００３６】
医療機関端末４０は、自治体２に予め登録された小児科等の医療機関４に設置されたパーソナルコンピュータやワークステーション等の情報処理装置である。医療機関端末４０は、その内部または外部に、データを入力するための入力部４１と、データを表示するための表示部４２と、データを一時記憶するための記憶装置４３とを有する。さらに、データを印刷出力するためのプリンタを備えてもよい。記憶装置４３は、予約データベース４３１とカルテデータベース４３２を格納する。予約データベース４３１は、診療、検診、予防接種等の予約を管理するデータファイルである。カルテデータベース４３２は、患者や新生児のカルテを管理するデータファイルである。医療機関端末４０は、自治体端末２０からの予防接種や定期検診の予約情報を受け付ける機能を有する。また、新生児が医療機関で待たされることのない時間帯を予約データベース４３１を参照して予約しユーザ端末１０へ送信する機能を有するようにしてもよい。
【００３７】
カウンセラー端末５０は、カウンセラー５が使用するパーソナルコンピュータやワークステーション等の情報処理装置である。カウンセラー端末５０は、その内部または外部に、データを入力するための入力部５１と、データを表示するための表示部５２と、データを一時記憶するための記憶装置５３とを有する。さらに、データを印刷出力するためのプリンタを備えてもよい。記憶装置５３は、標準生育データベース５３１を格納する。標準成育データベース５３１は、新生児誕生後の標準的な成育データが格納されたデータファイルである。カウンセラー５はユーザ端末１０からの新生児に関する相談を受け付ける機関である。カウンセラー端末５０は、ユーザ端末１０から誕生日を受信してその後の経過日数を基に標準成育データベース５３１を検索してユーザ端末１０へ新生児の標準的な成育情報を返信する機能を有する。
【００３８】
次に、本発明を実施するための最良の形態の動作について図面を参照して説明する。図２は動作を示すフローチャートである。
【００３９】
まず、新生児が誕生すると、母親が入院している産婦人科医３は、新生児に関するカルテを産婦人科医端末３０で作成して新生児データベース３３１に格納する（ステップＳ１）。新生児に関するカルテの一例を図３に示す。新生児に関するカルテには、少なくとも新生児の生年月日と親の名前とが含まれる。
【００４０】
次に、新生児の両親はユーザ端末１０からインターネット１００を介して自治体２の自治体端末２０へ
平成ＹＹ年ＭＭ月ＤＤ日          ・・・（１）
誕生の出生届を提出する（ステップＳ２）。
【００４１】
自治体２は出生届を自治体端末２０で受信して、小児データベース２３１へ記憶する（ステップＳ３）。小児データベース２３１へ記憶するデータは、少なくとも、新生児の生年月日、氏名、連絡先（両親の住所、または電子メールアドレス等）を含む。さらに、新生児が誕生した産婦人科医３の情報を含んでもよい。産婦人科医３の情報とは、たとえば、産婦人科医３が使用する産婦人科医端末３０の電子メールアドレスやＩＰ（internet protocol）アドレス等である。また、新生児には特定するための新生児コードが付される。この新生児コードは、新生児の生年月日と氏名とを組み合わせたものでもよく、住民基本台帳コードでもよく、その他のコードでもよい。小児データベース２３１は自治体内の住民データベースを利用してもよい。
【００４２】
自治体端末２０は、出生届を小児データベース２３１へ記憶すると、新生児のコードをもとに、定期検診データベース２３２から該当する定期検診予定表を読み出して、インターネット１００を介してユーザ端末１０へ送付する（ステップＳ４）。図４は定期検診予定表の一例を示す図である。定期検診と予防接種等の時期と費用が記載されている。
【００４３】
自治体端末２０は、定期的に小児データベース２３１を検索し、該当する定期検診や予防接種等の通知をユーザ端末１０に送付する（ステップＳ５）。たとえば、生年月日から１ヶ月が経過すると、□□□さんのユーザ端末１０へ、
「□□□さんのお子さんの１ヶ月検診です
ご都合の良い日を入力下さい」
という情報を送付する。
【００４４】
□□□さんは、都合の良い日（ＡＡ）と時間（ＢＢ）をユーザ端末１０から自治体端末２０へ送信する（ステップＳ６）。
【００４５】
自治体端末２０はＡＡをキーワードに医療機関データベース２３３を検索して、ＡＡに検診可能で、かつ、□□□さんが最もアクセスし易い医療機関４（Ｚ）（例えば住所の近い医療機関）を抽出し、ユーザ端末１０へ、
「（ＡＡ）日の（ＢＢ）時に医療機関（Ｚ）へお越し下さい」
という情報を送付する（ステップＳ７）。また、自治体端末２０は、医療機関端末４０へ予約情報を送信する。医療機関端末４０は、予約情報を予約データベース４３１へ格納する。このとき、詳細な日時の予約は、医療機関端末４０とユーザ端末１０との間で行うようにしてもよい。
【００４６】
次に、自治体端末２０は産婦人科端末３０へ、□□□さんの新生児のカルテ（医療機関（Ｚ）の医療機関端末４０へ送付するように指示する（ステップＳ９）。
【００４７】
産婦人科医端末３０は、該当するカルテを新生児データベース３３１から抽出して医療機関（Ｚ）の医療機関端末４０へ送付する（ステップＳ１０）。医療機関端末４０は、送付されたカルテをカルテデータベース４３２へ登録する（ステップＳ１１）。
【００４８】
□□□さんは（ＡＡ）日に医療機関４（Ｚ）で新生児に１ヶ月の定期検診を受診させる。医療機関４（Ｚ）では子供が小さいので院内で待たせることなく、予め時間（ＢＢ）には他の診察をしないで最優先で定期検診する。医療機関４（Ｚ）は送付されているカルテをカルテデータベース４３２から読み出して、表示部４２に表示させるか、プリンタに印刷出力させ、これを参考に新生児を検診する（ステップＳ１２）。
【００４９】
以降、同様の手順で図４に示す定期検診予定表の内容に従って（１）からの経過期日が来るたびに自治体端末２０はユーザ端末１０へ自動的に検診や予防接種情報を送付し、ユーザ１はその都度受診する。
【００５０】
次に自宅から新生児の様子を入力して成長具合を相談するケースについて記述する。ユーザ１はユーザ端末１０から新生児の生年月日を入力してカウンセラー端末５０へアクセスする（ステップＳ１３）。
【００５１】
カウンセラー端末５０は、ユーザ端末１０からアクセスされた日と入力された生年月日とをもとに生年月日からの経過日数を計算する（ステップＳ１４）。計算された経過日数をもとに、標準成育データベース５３１を検索し、該当する標準生育表を抽出してインターネット１００を介してユーザ端末１０へ送信する（ステップＳ１５）。図５は標準生育データベース５３１に格納されているデータの一例を示す図である。例えば９ヶ月が経過していれば図５の（２）の情報をユーザ端末１０へ送付する。
【００５２】
ユーザ端末１０は標準生育表を受信し（ステップＳ１６）、ユーザ１は、これを表示部１２に表示するか、プリンタで印刷出力して確認する。ユーザ１は、標準生育表の内容以上の相談をしたい場合はユーザ端末１０とカウンセラー端末５０とでやり取りすることができる。
【００５３】
カウンセラー端末５０は、自治体端末２０、産婦人科医端末３０、医療機関端末４０のいずれかとデータを共有するようにしてもよい。たとえば、新生児データベース３３１のデータを共有することにより、より的確な情報をユーザ１に提供することが可能となる。
【００５４】
以上説明した本発明の各端末の機能は、１台の端末ではなく、複数の端末に分散してもよい。逆に、複数の端末の機能を１台の端末で併せ持ってもよい。
【００５５】
本発明の実施形態の各端末の動作はコンピュータ・プログラム処理により行わせることが可能である。すなわち、記録媒体に記録したプログラムを各端末に読み込ませるか、あるいは、ネットワークからコンピュータ・プログラムを各端末に読み込ませて、実施形態で説明した動作を実行させる。
【図面の簡単な説明】
【００５６】
【図１】本発明の実施形態の構成を示すブロック図である。
【図２】本発明の実施形態の動作を示すフローチャートである。
【図３】新生児に関するカルテの一例を示す図である。
【図４】定期検診予定表の一例を示す図である。
【図５】標準生育データベースに格納されているデータの一例を示す図である。
【符号の説明】
【００５７】
１    ユーザ
２    自治体
３    産婦人科医
４    医療機関
５    カウンセラー
１０    ユーザ端末
１１    入力部
１２    表示部
１３    記憶装置
２０    自治体端末
２３    記憶装置
３１    入力部
３２    表示部
３３    記憶装置
４１    入力部
４２    表示部
４３    記憶装置
５１    入力部
５２    表示部
５３    記憶装置
２３１    小児データベース
２３２    定期検診データベース
２３３    医療機関データベース
３３１    新生児データベース
４３１    予約データベース
４３２    カルテデータベース
５３１    標準生育データベース
【図１】
2005050146.tif 000003
【図２】
2005050146.tif 000004
【図３】
2005050146.tif 000005
【図４】
2005050146.tif 000006
【図５】
2005050146.tif 000007